(57)【要約】  本発明は中継システムの同期方法、装置、コンピュータ装置及び記憶媒体を開示し、該方法は、中継ノードが第１タイムスロット境界を決定することと、中継ノードが、子ノードに送信されたダウンリンクデータの第２タイムスロット境界を第１タイムスロット境界に時間的に合わせるように、子ノードにダウンリンクデータを送信することと、また、中継ノードが、少なくとも、中継ノードが親ノードにアップリンクデータを送信する第２タイミングアドバンスの情報、及び中継ノードと子ノードの間の伝送遅延の情報に基づいて、第１タイミングアドバンスを決定することと、中継ノードが第１タイミングアドバンスを子ノードに送信し、第１タイミングアドバンスは子ノードが中継ノードにアップリンクデータを送信する時間を決定することに用いられることと、を含んでもよい。本発明に記載の案を適用することで、システム性能等を向上させることができる。
2021521727.tif 000002
【特許請求の範囲】
【請求項１】
中継システムの同期方法であって、
中継ノードが第１タイムスロット境界を決定することと、
前記中継ノードが、子ノードに送信されたダウンリンクデータの第２タイムスロット境界を前記第１タイムスロット境界に時間的に合わせるように、前記子ノードにダウンリンクデータを送信することと、を含むことを特徴とする中継システムの同期方法。
【請求項２】
前記中継ノードが第１タイムスロット境界を決定することは、
前記中継ノードが、親ノードから送信されたダウンリンクデータを受信した時刻に基づいて、前記第１タイムスロット境界を決定することを含むことを特徴とする請求項１に記載の方法。
【請求項３】
前記中継ノードが親ノードから送信されたダウンリンクデータを受信した時刻に基づいて前記第１タイムスロット境界を決定することは、
前記中継ノードが前記親ノードからの同期信号を受信して前記同期信号の受信時刻を決定することと、
前記中継ノードが前記同期信号の受信時刻及び所定のオフセットに基づいて、前記第１タイムスロット境界を決定し、前記オフセットは前記同期信号の位置と前記タイムスロット境界との時間オフセットであることと、を含むことを特徴とする請求項２に記載の方法。
【請求項４】
前記中継ノードが第１タイムスロット境界を決定することは、
前記中継ノードが前記親ノードから送信されたダウンリンクデータを受信した時刻、及び第１切り替え時間に基づいて前記第１タイムスロット境界を決定し、前記第１切り替え時間は、前記中継ノードが前記親ノードから送信されたダウンリンクデータを受信することから前記子ノードにダウンリンクデータを送信することに切り替えるのに必要な時間を含むことを含むことを特徴とする請求項１に記載の方法。
【請求項５】
前記中継ノードが前記親ノードから送信されたダウンリンクデータを受信した時刻及び第１切り替え時間に基づいて前記第１タイムスロット境界を決定することは、
前記中継ノードが、前記第１タイムスロット境界を、前記中継ノードが前記親ノードから送信されたダウンリンクデータを受信した時刻に対して前記第１切り替え時間を加算した結果として決定することを含むことを特徴とする請求項４に記載の方法。
【請求項６】
更に、
前記中継ノードが少なくとも、前記中継ノードが前記親ノードにアップリンクデータを送信する第２タイミングアドバンスの情報、及び前記中継ノードと前記子ノードの間の伝送遅延の情報に基づいて、第１タイミングアドバンスを決定することと、
前記中継ノードが前記第１タイミングアドバンスを前記子ノードに送信し、前記第１タイミングアドバンスは前記子ノードが前記中継ノードにアップリンクデータを送信する時間を決定することに用いられることと、を含むことを特徴とする請求項１に記載の方法。
【請求項７】
前記情報は更に第２切り替え時間を含み、
前記第２切り替え時間は、前記中継ノードが前記子ノードから送信されたアップリンクデータを受信することから前記親ノードにアップリンクデータを送信することに切り替えるのに必要な時間を含むことを特徴とする請求項６に記載の方法。
【請求項８】
中継システムの同期方法であって、
中継ノードが少なくとも、前記中継ノードが親ノードにアップリンクデータを送信する第２タイミングアドバンスの情報、及び前記中継ノードと子ノードの間の伝送遅延の情報に基づいて、第１タイミングアドバンスを決定することと、
前記中継ノードが前記第１タイミングアドバンスを前記子ノードに送信し、前記第１タイミングアドバンスは前記子ノードが前記中継ノードにアップリンクデータを送信する時間を決定することに用いられることと、を含むことを特徴とする中継システムの同期方法。
【請求項９】
前記情報は更に第２切り替え時間を含み、
前記第２切り替え時間は、前記中継ノードが前記子ノードから送信されたアップリンクデータを受信することから前記親ノードにアップリンクデータを送信することに切り替えるのに必要な時間を含むことを特徴とする請求項８に記載の方法。
【請求項１０】
更に、
前記中継ノードが第１タイムスロット境界を決定することと、
前記中継ノードが、前記子ノードに送信されたダウンリンクデータの第２タイムスロット境界を前記第１タイムスロット境界に時間的に合わせるように、前記子ノードにダウンリンクデータを送信することと、を含むことを特徴とする請求項８に記載の方法。
【請求項１１】
前記中継ノードが第１タイムスロット境界を決定することは、
前記中継ノードが、前記親ノードから送信されたダウンリンクデータを受信した時刻に基づいて、前記第１タイムスロット境界を決定することを含むことを特徴とする請求項１０に記載の方法。
【請求項１２】
前記中継ノードが、前記親ノードから送信されたダウンリンクデータを受信した時刻に基づいて、前記第１タイムスロット境界を決定することは、
前記中継ノードが前記親ノードからの同期信号を受信して前記同期信号の受信時刻を決定することと、
前記中継ノードが前記同期信号の受信時刻及び所定のオフセットに基づいて、前記第１タイムスロット境界を決定し、前記オフセットは前記同期信号の位置と前記タイムスロット境界との時間オフセットであることと、を含むことを特徴とする請求項１１に記載の方法。
【請求項１３】
前記中継ノードが第１タイムスロット境界を決定することは、
前記中継ノードが前記親ノードから送信されたダウンリンクデータを受信した時刻、及び第１切り替え時間に基づいて前記第１タイムスロット境界を決定し、前記第１切り替え時間は、前記中継ノードが前記親ノードから送信されたダウンリンクデータを受信することから前記子ノードにダウンリンクデータを送信することに切り替えるのに必要な時間を含むことを含むことを特徴とする請求項１０に記載の方法。
【請求項１４】
前記中継ノードが前記親ノードから送信されたダウンリンクデータを受信した時刻及び第１切り替え時間に基づいて前記第１タイムスロット境界を決定することは、
前記中継ノードが、前記第１タイムスロット境界を、前記中継ノードが前記親ノードから送信されたダウンリンクデータを受信した時刻に対して前記第１切り替え時間を加算した結果として決定することを含むことを特徴とする請求項１３に記載の方法。
【請求項１５】
中継システムの同期方法であって、
第１装置が第１タイミングアドバンスを取得し、前記第１タイミングアドバンスは少なくとも、第２装置が第３装置にアップリンクデータを送信する第２タイミングアドバンスの情報、及び前記第２装置と前記第１装置の間の伝送遅延の情報に基づいて決定されることと、
前記第１装置が前記第１タイミングアドバンスに基づいて、前記第２装置にアップリンクデータを送信する時間を決定することと、を含み、
前記第２装置は前記第１装置の親ノードであり、前記第３装置は前記第２装置の親ノードであることを特徴とする中継システムの同期方法。
【請求項１６】
前記情報は更に第２切り替え時間を含み、
前記第２切り替え時間は、前記第２装置が前記第１装置から送信されたアップリンクデータを受信することから前記第３装置にアップリンクデータを送信することに切り替えるのに必要な時間を含むことを特徴とする請求項１５に記載の方法。
【請求項１７】
前記第１装置は前記第２装置から前記第１タイミングアドバンスを取得することを特徴とする請求項１５に記載の方法。
【請求項１８】
前記第１装置は前記第２装置のブロードキャスト情報、無線リソース制御（ＲＲＣ）情報又は制御情報を受信し、前記ブロードキャスト情報、ＲＲＣ情報又は制御情報は前記第１タイミングアドバンスを含むことを特徴とする請求項１７に記載の方法。
【請求項１９】
中継システムの同期装置であって、タイムスロット境界決定ユニット、及びダウンリンクデータ送信ユニットを備え、
前記タイムスロット境界決定ユニットは第１タイムスロット境界を決定することに用いられ、
前記ダウンリンクデータ送信ユニットは、子ノードに送信されたダウンリンクデータの第２タイムスロット境界を前記第１タイムスロット境界に時間的に合わせるように、前記子ノードにダウンリンクデータを送信することに用いられることを特徴とする中継システムの同期装置。
【請求項２０】
前記タイムスロット境界決定ユニットは、親ノードから送信されたダウンリンクデータを受信した時刻に基づいて、前記第１タイムスロット境界を決定することを特徴とする請求項１９に記載の中継システムの同期装置。
【請求項２１】
前記タイムスロット境界決定ユニットは前記親ノードからの同期信号を受信して前記同期信号の受信時刻を決定し、前記同期信号の受信時刻、及び所定のオフセットに基づいて、前記第１タイムスロット境界を決定し、前記オフセットは前記同期信号の位置と前記タイムスロット境界との時間オフセットであることを特徴とする請求項２０に記載の中継システムの同期装置。
【請求項２２】
前記タイムスロット境界決定ユニットは、前記親ノードから送信されたダウンリンクデータを受信した時刻、及び第１切り替え時間に基づいて前記第１タイムスロット境界を決定し、前記第１切り替え時間は、前記中継システムの同期装置が前記親ノードから送信されたダウンリンクデータを受信することから前記子ノードにダウンリンクデータを送信することに切り替えるのに必要な時間を含むことを特徴とする請求項１９に記載の中継システムの同期装置。
【請求項２３】
前記タイムスロット境界決定ユニットは、前記第１タイムスロット境界を、前記中継システムの同期装置が前記親ノードから送信されたダウンリンクデータを受信した時刻に対して前記第１切り替え時間を加算した結果として決定することを特徴とする請求項２２に記載の中継システムの同期装置。
【請求項２４】
更にタイミングアドバンス設定ユニットを備え、
前記タイミングアドバンス設定ユニットは、少なくとも、前記中継システムの同期装置が前記親ノードにアップリンクデータを送信する第２タイミングアドバンスの情報、及び前記中継システムの同期装置と前記子ノードの間の伝送遅延の情報に基づいて第１タイミングアドバンスを決定し、そして前記第１タイミングアドバンスを前記子ノードに送信することに用いられ、前記第１タイミングアドバンスは前記子ノードが前記中継システムの同期装置にアップリンクデータを送信する時間を決定することに用いられることを特徴とする請求項１９に記載の中継システムの同期装置。
【請求項２５】
前記情報は更に第２切り替え時間を含み、
前記第２切り替え時間は、前記中継システムの同期装置が前記子ノードから送信されたアップリンクデータを受信することから前記親ノードにアップリンクデータを送信することに切り替えるのに必要な時間を含むことを特徴とする請求項２４に記載の中継システムの同期装置。
【請求項２６】
中継システムの同期装置であって、タイミングアドバンス設定ユニットを備え、
前記タイミングアドバンス設定ユニットは、少なくとも、前記中継システムの同期装置が親ノードにアップリンクデータを送信する第２タイミングアドバンスの情報、及び前記中継システムの同期装置と子ノードの間の伝送遅延の情報に基づいて第１タイミングアドバンスを決定し、そして前記第１タイミングアドバンスを前記子ノードに送信することに用いられ、前記第１タイミングアドバンスは前記子ノードが前記中継システムの同期装置にアップリンクデータを送信する時間を決定することに用いられることを特徴とする中継システムの同期装置。
【請求項２７】
前記情報は更に第２切り替え時間を含み、
前記第２切り替え時間は、前記中継システムの同期装置が前記子ノードから送信されたアップリンクデータを受信することから前記親ノードにアップリンクデータを送信することに切り替えるのに必要な時間を含むことを特徴とする請求項２６に記載の中継システムの同期装置。
【請求項２８】
更に、タイムスロット境界決定ユニット、及びダウンリンクデータ送信ユニットを備え、
前記タイムスロット境界決定ユニットは第１タイムスロット境界を決定することに用いられ、
前記ダウンリンクデータ送信ユニットは、前記子ノードに送信されたダウンリンクデータの第２タイムスロット境界を前記第１タイムスロット境界に時間的に合わせるように、前記子ノードにダウンリンクデータを送信することに用いられることを特徴とする請求項２６に記載の中継システムの同期装置。
【請求項２９】
前記タイムスロット境界決定ユニットは前記親ノードから送信されたダウンリンクデータを受信した時刻に基づいて前記第１タイムスロット境界を決定することを特徴とする請求項２８に記載の中継システムの同期装置。
【請求項３０】
前記タイムスロット境界決定ユニットは前記親ノードからの同期信号を受信して前記同期信号の受信時刻を決定し、前記同期信号の受信時刻、及び所定のオフセットに基づいて、前記第１タイムスロット境界を決定し、前記オフセットは前記同期信号の位置と前記タイムスロット境界との時間オフセットであることを特徴とする請求項２９に記載の中継システムの同期装置。
【請求項３１】
前記タイムスロット境界決定ユニットは前記親ノードから送信されたダウンリンクデータを受信した時刻、及び第１切り替え時間に基づいて前記第１タイムスロット境界を決定し、前記第１切り替え時間は、前記中継システムの同期装置が前記親ノードから送信されたダウンリンクデータを受信することから前記子ノードにダウンリンクデータを送信することに切り替えるのに必要な時間を含むことを特徴とする請求項２８に記載の中継システムの同期装置。
【請求項３２】
前記タイムスロット境界決定ユニットは、前記第１タイムスロット境界を、前記中継システムの同期装置が前記親ノードから送信されたダウンリンクデータを受信した時刻に対して前記第１切り替え時間を加算した結果として決定することを特徴とする請求項３１に記載の中継システムの同期装置。
【請求項３３】
中継システムの同期装置であって、タイミングアドバンス取得ユニット、及びアップリンクデータ送信ユニットを備え、
前記タイミングアドバンス取得ユニットは、第１タイミングアドバンスを取得することに用いられ、前記第１タイミングアドバンスは少なくとも、第２装置が第３装置にアップリンクデータを送信する第２タイミングアドバンスの情報、及び前記第２装置と前記中継システムの同期装置の間の伝送遅延の情報に基づいて決定され、前記第２装置は前記中継システムの同期装置の親ノードであり、前記第３装置は前記第２装置の親ノードであり、
前記アップリンクデータ送信ユニットは、前記第１タイミングアドバンスに基づいて、前記第２装置にアップリンクデータを送信する時間を決定することに用いられることを特徴とする中継システムの同期装置。
【請求項３４】
前記情報は更に第２切り替え時間を含み、
前記第２切り替え時間は、前記第２装置が前記中継システムの同期装置から送信されたアップリンクデータを受信することから前記第３装置にアップリンクデータを送信することに切り替えるのに必要な時間を含むことを特徴とする請求項３３に記載の中継システムの同期装置。
【請求項３５】
前記タイミングアドバンス取得ユニットは前記第２装置から前記第１タイミングアドバンスを取得することを特徴とする請求項３３又は３４に記載の中継システムの同期装置。
【請求項３６】
前記タイミングアドバンス取得ユニットは前記第２装置のブロードキャスト情報、無線リソース制御（ＲＲＣ）情報又は制御情報を受信し、前記ブロードキャスト情報、ＲＲＣ情報又は制御情報は前記第１タイミングアドバンスを含むことを特徴とする請求項３５に記載の中継システムの同期装置。
【請求項３７】
メモリ、プロセッサ、及び前記メモリに記憶されそして前記プロセッサにおいて実行できるコンピュータプログラムを備えるコンピュータ装置であって、前記プロセッサが前記プログラムを実行する時、請求項１〜１８のいずれか１項に記載の方法が実現されることを特徴とするコンピュータ装置。
【請求項３８】
コンピュータプログラムが記憶されるコンピュータ可読記憶媒体であって、前記プログラムがプロセッサによって実行される時、請求項１〜１８のいずれか１項に記載の方法が実現されることを特徴とするコンピュータ可読記憶媒体。
【発明の詳細な説明】
【技術分野】
【０００１】
本発明はネットワーク技術に関し、特に、中継システムの同期方法、装置、コンピュータ装置及び記憶媒体に関する。
【背景技術】
【０００２】
ロングタームエボリューション（ＬＴＥ、Ｌｏｎｇ  Ｔｅｒｍ  Ｅｖｏｌｕｔｉｏｎ）システムでは、基地局と基地局の間、及び基地局とコアネットワークの間のバックホール（Ｂａｃｋｈａｕｌ）リンクに有線接続方式が採用され、これは事業者に比較的に大きいデプロイ難易度及び比較的に高いネットワークコストをもたらす。
【０００３】
上記の課題を解決するために、第３世代パートナーシッププロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）は、高度化したロングタームエボリューションシステム（ＬＴＥ−Ａ、Ｌｏｎｇ  Ｔｅｒｍ  Ｅｖｏｌｕｔｉｏｎ  −Ａｄｖａｎｃｅｄ）の標準化段階において、無線バックホールリンク解決案を提供するための無線中継技術の研究をスタートした。
【０００４】
中継ノード（ＲＮ、Ｒｅｌａｙ  Ｎｏｄｅ）は無線方式でホームセルに接続され、ホームセルはドナーセル（Ｄｏｎｏｒ  ｃｅｌｌ）と称され、ＲＮのホーム基地局（ｅＮＢ）はドナー基地局（Ｄｏｎｏｒ  ｅＮＢ）、即ちＤｅＮＢと称される。
【０００５】
図１はＲＮが導入される既存のネットワーク構造の模式図である。図１に示すように、ＲＮとＤｅＮＢの間のバックホールリンク（Ｂａｃｋｈａｕｌ  ｌｉｎｋ）、端末（ＵＥ、Ｕｓｅｒ  Ｅｑｕｉｐｍｅｎｔ）とＲＮの間のアクセスリンク（Ａｃｃｅｓｓ  ｌｉｎｋ）、ＵＥとｅＮＢの間のダイレクトリンク（Ｄｉｒｅｃｔ  ｌｉｎｋ）、という３つの無線リンクを備える。
【０００６】
中継システムでは、あるノードの上位レベルのノードはまた親ノードと称され、下位レベルのノードはまた子ノードと称される。図１に示すように、ＲＮにとって、ＤｅＮＢはそれの親ノードであり、ＵＥはそれの子ノードである。図２は、既存の、マルチホップがサポートされる中継システムの模式図である。図２に示すように、ＲＮ１にとって、ＤｅＮＢはそれの親ノードであり、ＲＮ２はそれの子ノードであり、ＲＮ２にとって、ＲＮ１はそれの親ノードであり、ＵＥはそれの子ノードである。
【０００７】
ＲＮはバックホールリンクにおいて親ノードのダウンリンクデータを受信し、そして親ノードにアップリンクデータを送信し、また、ＲＮは更にアクセスリンクにおいて子ノードにダウンリンクデータを送信し、そして子ノードからのアップリンクデータを受信し、従って、中継システムでは、データの送信タイミングをどのように決定するかは非常に重要な課題である。
【発明の概要】
【発明が解決しようとする課題】
【０００８】
これに鑑みて、本発明は中継システムの同期方法、装置、コンピュータ装置及び記憶媒体を提供する。
【課題を解決するための手段】
【０００９】
具体的な技術案は以下の通りである。
【００１０】
中継システムの同期方法であり、
中継ノードが第１タイムスロット境界を決定することと、
前記中継ノードが、子ノードに送信されたダウンリンクデータの第２タイムスロット境界を前記第１タイムスロット境界に時間的に合わせるように、前記子ノードにダウンリンクデータを送信することと、を含む。
【００１１】
中継システムの同期方法であり、
中継ノードが少なくとも、前記中継ノードが親ノードにアップリンクデータを送信する第２タイミングアドバンスの情報、及び前記中継ノードと子ノードの間の伝送遅延の情報に基づいて、第１タイミングアドバンスを決定することと、
前記中継ノードが前記第１タイミングアドバンスを前記子ノードに送信し、前記第１タイミングアドバンスは前記子ノードが前記中継ノードにアップリンクデータを送信する時間を決定することに用いられることと、を含む。
【００１２】
中継システムの同期方法であり、
第１装置が第１タイミングアドバンスを取得し、前記第１タイミングアドバンスは少なくとも、第２装置が第３装置にアップリンクデータを送信する第２タイミングアドバンスの情報、及び前記第２装置と前記第１装置の間の伝送遅延の情報に基づいて決定されることと、
前記第１装置が前記第１タイミングアドバンスに基づいて、前記第２装置にアップリンクデータを送信する時間を決定することと、を含み、
前記第２装置は前記第１装置の親ノードであり、前記第３装置は前記第２装置の親ノードである。
【００１３】
中継システムの同期装置であり、タイムスロット境界決定ユニット、及びダウンリンクデータ送信ユニットを備え、
前記タイムスロット境界決定ユニットは第１タイムスロット境界を決定することに用いられ、
前記ダウンリンクデータ送信ユニットは、子ノードに送信されたダウンリンクデータの第２タイムスロット境界を前記第１タイムスロット境界に時間的に合わせるように、前記子ノードにダウンリンクデータを送信することに用いられる。
【００１４】
中継システムの同期装置であり、タイミングアドバンス設定ユニットを備え、
前記タイミングアドバンス設定ユニットは、少なくとも、前記中継システムの同期装置が親ノードにアップリンクデータを送信する第２タイミングアドバンスの情報、及び前記中継システムの同期装置と子ノードの間の伝送遅延の情報に基づいて第１タイミングアドバンスを決定し、そして前記第１タイミングアドバンスを前記子ノードに送信することに用いられ、前記第１タイミングアドバンスは前記子ノードが前記中継システムの同期装置にアップリンクデータを送信する時間を決定することに用いられる。
【００１５】
中継システムの同期装置であり、タイミングアドバンス取得ユニット、及びアップリンクデータ送信ユニットを備え、
前記タイミングアドバンス取得ユニットは、第１タイミングアドバンスを取得することに用いられ、前記第１タイミングアドバンスは少なくとも、第２装置が第３装置にアップリンクデータを送信する第２タイミングアドバンスの情報、及び前記第２装置と前記中継システムの同期装置の間の伝送遅延の情報に基づいて決定され、前記第２装置は前記中継システムの同期装置の親ノードであり、前記第３装置は前記第２装置の親ノードであり、
前記アップリンクデータ送信ユニットは、前記第１タイミングアドバンスに基づいて、前記第２装置にアップリンクデータを送信する時間を決定することに用いられる。
【００１６】
コンピュータ装置であり、メモリ、プロセッサ、及び前記メモリに記憶されそして前記プロセッサにおいて実行できるコンピュータプログラムを備え、前記プロセッサが前記プログラムを実行する時、上記のような方法が実現される。
【００１７】
コンピュータ可読記憶媒体であり、コンピュータプログラムを記憶し、前記プログラムがプロセッサによって実行される時、上記のような方法が実現される。
【００１８】
上記の説明で分かることができるように、本発明に記載の案を採用することによって、データの送信時刻を効率的且つ合理的に決定することができ、それによってシステム性能を向上させる。
【図面の簡単な説明】
【００１９】
【図１】図１はＲＮが導入される既存のネットワーク構造の模式図である。
【図２】図２は、既存の、マルチホップがサポートされる中継システムの模式図である。
【図３】図３は本発明に記載の中継システムの同期方法の第１実施例のフローチャートである。
【図４】図４は本発明に記載の中継システムの同期方法の第２実施例のフローチャートである。
【図５】図５は本発明に記載の１つの中継システムの模式図である。
【図６】図６は本発明に記載の他の１つの中継システムの模式図である。
【図７】図７は、本発明に記載の、中継システムの同期装置の、第１実施例の構成構造の模式図である。
【図８】図８は、本発明に記載の、中継システムの同期装置の、第２実施例の構成構造の模式図である。
【図９】図９は本発明の実施形態を実現することに適用される、例示的なコンピュータシステム／サーバ１２のブロック図を示す。
【発明を実施するための形態】
【００２０】
既存技術に存在している課題に対して、本発明は中継システムの同期の案を提出する。
【００２１】
通信システムは、時分割二重（ＴＤＤ、Ｔｉｍｅ  Ｄｉｖｉｓｉｏｎ  Ｄｕｐｌｅｘｉｎｇ）システムと周波数分割二重（ＦＤＤ、Ｆｒｅｑｕｅｎｃｙ  Ｄｉｖｉｓｉｏｎ  Ｄｕｐｌｅｘｉｎｇ）システムに分けることができ、本発明に記載の案は主にＦＤＤシステムに対して実現される。
【００２２】
ＦＤＤシステムでは、バックホールリンク及びアクセスリンクのダウンリンクデータ送信はいずれもダウンリンクキャリアにおいて行われ、バックホールリンク及びアクセスリンクのアップリンクデータ送信はいずれもアップリンクキャリアにおいて行われる。中継システムでは、ＲＮと親ノード（例えばＤｅＮＢ又は他の１つのＲＮ）の間、及びＲＮと子ノード（例えばＵＥ又は他の１つのＲＮ）の間のいずれにも伝送遅延が存在する。仮に親ノードとＲＮの間の伝送遅延はＴｐ１であり、ＲＮと子ノードの間の伝送遅延はＴｐ２である場合、即ち、親ノードからＲＮに送信されたダウンリンクデータはＴｐ１の伝送遅延を経過してＲＮに到達し、ＲＮから子ノードに送信されたダウンリンクデータはＴｐ２の伝送遅延を経過して子ノードに到達する。
【００２３】
本発明の技術案をより明確に、明瞭にするために、以下は添付図面を参照しながら実施例を挙げ、本発明に記載の案を更に説明する。
【００２４】
明らかに、ここに説明する実施例は、本発明の一部の実施例であり、全部の実施例ではない。本発明における実施例に基づいて、当業者が創造的な労力を要することなく獲得した他の全ての実施例は、いずれも本発明の保護する範囲に属する。
【００２５】
図３は本発明に記載の中継システムの同期方法の第１実施例のフローチャートである。図３に示すように、以下の具体的な実現方式を含む。
【００２６】
３０１では、ＲＮは第１タイムスロット境界を決定する。
【００２７】
３０２では、ＲＮは、子ノードに送信されたダウンリンクデータの第２タイムスロット境界を第１タイムスロット境界に時間的に合わせるように、子ノードにダウンリンクデータを送信する。
【００２８】
本実施例では、ＲＮは少なくとも以下の２つの方式で第１タイムスロット境界を決定することができ、以下はそれぞれ説明する。
【００２９】
１）方式１
ＲＮは親ノードから送信されたダウンリンクデータを受信した時刻に基づいて第１タイムスロット境界を決定してもよい。
【００３０】
ＲＮは親ノードからの同期信号を受信して同期信号の受信時刻を決定し、さらに、同期信号の受信時刻、及び所定のオフセット（ｏｆｆｓｅｔ）に基づいて、第１タイムスロット境界を決定してもよく、前記オフセットは同期信号の位置とタイムスロット境界との時間オフセットである。
【００３１】
親ノードはＲＮにダウンリンクデータを送信しようとする場合、まず１つの同期信号を送信し、同期信号の位置はタイムスロット境界に対して１つの固定したｏｆｆｓｅｔを有し、ＲＮは同期信号を受信すると、同期信号の受信時刻及びｏｆｆｓｅｔを参照して、上記の第１タイムスロット境界を決定し、即ち親ノードと同期し、第１タイムスロット境界を取得することができ、さらに、第１タイムスロット境界に合わせて、親ノードから送信されたダウンリンクデータを受信することができる。
【００３２】
２）方式２
ＲＮは親ノードから送信されたダウンリンクデータを受信した時刻、及び第１切り替え時間に基づいて第１タイムスロット境界を決定してもよく、第１切り替え時間は、ＲＮが親ノードから送信されたダウンリンクデータを受信することから子ノードにダウンリンクデータを送信することに切り替えるのに必要な時間を含む。
【００３３】
好ましくは、ＲＮは、第１タイムスロット境界を、ＲＮが親ノードから送信されたダウンリンクデータを受信した時刻に対して第１切り替え時間を加算した結果として決定してもよい。
【００３４】
上記のどの方式を採用するかを問わず、第１タイムスロット境界が決定された後、ＲＮは子ノードにダウンリンクデータを送信する時、子ノードに送信されたダウンリンクデータの第２タイムスロット境界を第１タイムスロット境界に時間的に合わせるように確保する必要がある。
【００３５】
ＲＮは子ノードにダウンリンクデータを送信する時、やはりまず同期信号を送信する必要があり、第２タイムスロット境界を第１タイムスロット境界に合わせる必要があり、そしてｏｆｆｓｅｔは固定値であるため、同期信号の位置を決定することができ、さらに、それに応じて同期信号を送信する。
【００３６】
上記の実施例では、ＲＮが子ノードにダウンリンクデータを送信するタイムスロット境界を、ＲＮが親ノードから送信されたダウンリンクデータを受信するタイムスロット境界の時間に合わせてもよく、これにより、ダウンリンクキャリアにおけるバックホールリンク及びアクセスリンクリソースの多重化の場合、伝送遅延の影響を考慮せずに、１つのシンボルを、送受信の切り替え時間として事前保留することだけを考慮すればよく、更に、ＲＮは親ノードから送信されたダウンリンクデータを受信した時刻、及び第１切り替え時間に基づいて第１タイムスロット境界を決定してもよく、それによって、ＲＮは子ノードにダウンリンクデータを送信する時、送受信切り替えのための時間に用いられるシンボルを事前保留する必要がなく、これによりシステム性能をより一層向上させる。
【００３７】
図４は本発明に記載の中継システムの同期方法の第２実施例のフローチャートである。図４に示すように、以下の具体的な実現方式を含む。
【００３８】
４０１では、ＲＮは少なくとも、ＲＮが親ノードにアップリンクデータを送信する第２タイミングアドバンスの情報、及びＲＮと子ノードの間の伝送遅延の情報に基づいて、第１タイミングアドバンスを決定する。
【００３９】
４０２では、ＲＮは第１タイミングアドバンスを子ノードに送信し、第１タイミングアドバンスは子ノードがＲＮにアップリンクデータを送信する時間を決定することに用いられる。
【００４０】
中継システムでは、親ノードは、親ノードにデータを送信するタイミングアドバンス（ＴＡ，Ｔｉｍｉｎｇ  Ａｄｖａｎｃｅ）を、既存技術によってＲＮに設定する。タイミングアドバンスは、通常、アップリンク伝送に用いられ、即ち、命令に基づいて相応の時間の前倒しをしてデータを送信することを指す。
【００４１】
本実施例では、子ノードの第１タイミングアドバンスを設定することによって、ＲＮが子ノードから送信されたアップリンクデータを受信するタイムスロット境界を、ＲＮが親ノードにアップリンクデータを送信するタイムスロット境界に時間的に合わせることができる。
【００４２】
ＲＮは親ノードにアップリンクデータを送信する時、既に１つの第２タイミングアドバンスを有し、では、子ノードにタイミングアドバンス、即ち第１タイミングアドバンスを設定する時、第２タイミングアドバンスに加えて更に１つの追加の前倒し量が必要であり、この前倒し量はＲＮと子ノードの間の遅延を考慮したものである。
【００４３】
上記に基づいて、更に送受信の切り替えに必要な時間を追加で考慮してもよく、即ち、ＲＮは、第２タイミングアドバンスの情報、ＲＮと子ノードの間の伝送遅延の情報、及び第２切り替え時間の情報に基づいて、第１タイミングアドバンスを決定してもよい。第２切り替え時間は、ＲＮが子ノードから送信されたアップリンクデータを受信することから親ノードにアップリンクデータを送信することに切り替えるのに必要な時間を含む。
【００４４】
以下は図２を参照しながら説明し、ＲＮ１は第１レベルの中継ノードであり、ＤｅＮＢはそれの親ノードであり、ＲＮ２はそれの子ノードであり、ＲＮ２は第２レベルの中継ノードであり、ＲＮ１はＲＮ２の親ノードであり、ＵＥはＲＮ２の子ノードであり、ＲＮ１とＤｅＮＢの間の伝送遅延はＴｐ１であり、ＲＮ２とＲＮ１の間の伝送遅延はＴｐ２であり、ＵＥとＲＮ２の間の伝送遅延はＴｐ３である。
【００４５】
ＲＮ１の場合、ＤｅＮＢはＲＮ１の第２タイミングアドバンス（ＴＡ２）を決定し、既存の技術によれば、タイミングアドバンスは通常は伝送遅延によって決まり、例えば、伝送遅延の２倍であり、即ちＴＡ２は２倍のＴｐ１であり、更に、ＴＡ２は切り替え時間Ｔｓｗを含んでもよく、即ち、ＴＡ２＝２＊Ｔｐ１＋Ｔｓｗである。
【００４６】
ＲＮ１はＲＮ２の第１タイミングアドバンス（ＴＡ１）を決定し、もし切り替え時間を考慮するなら、ＴＡ１は、ＴＡ２、ＲＮと子ノードの間の伝送遅延、及び切り替え時間の合計、即ち、ＴＡ１＝ＴＡ２＋２＊Ｔｐ２＋Ｔｓｗであってもよい。
【００４７】
上記の実施例では、子ノードにタイミングアドバンスを設定することによって、ＲＮが子ノードから送信されたアップリンクデータを受信するタイムスロット境界を、ＲＮが親ノードにアップリンクデータを送信するタイムスロット境界に時間的に合わせることができ、これにより、アップリンクキャリアにおけるバックホールリンク及びアクセスリンクのリソースの多重化の場合、伝送遅延の影響を考慮せずに、１つのシンボルを、送受信の切り替え時間として事前保留することだけを考慮すればよく、更に、ＲＮは子ノードのタイミングアドバンスを設定する時、送受信切り替えの時間を考慮してもよく、それによって、ＲＮは親ノードにアップリンクデータを送信する時、送受信切り替えのための時間に用いられるシンボルを事前保留する必要がなく、これによりシステム性能をより一層向上させる。
【００４８】
実際の応用では、図３と図４の２つの実施例に示す方式はそれぞれ単独に実現されてもよく、組み合わせて実現されてもよい。
【００４９】
また、以上は主にＲＮ側の処理を例として、本発明に記載の案を説明したが、以下は子ノード側の処理について説明する。
【００５０】
第１装置は第１タイミングアドバンスを取得し、第１タイミングアドバンスは少なくとも、第２装置が第３装置にアップリンクデータを送信する第２タイミングアドバンスの情報、及び第２装置と第１装置の間の伝送遅延の情報に基づいて決定され、第１装置は第１タイミングアドバンスに基づいて、第２装置にアップリンクデータを送信する時間を決定する。
【００５１】
第２装置は第１装置の親ノードであり、第３装置は第２装置の親ノードである。例えば、第２装置はＲＮであってもよく、第１装置は即ちＲＮの子ノードであり、ＵＥ又は他の１つのＲＮであってもよく、第３装置はＲＮの親ノードであり、ＤｅＮＢ又は他の１つのＲＮであってもよい。
【００５２】
上記の情報は更に第２切り替え時間を含んでもよく、第２切り替え時間は、第２装置が第１装置から送信されたアップリンクデータを受信することから第３装置にアップリンクデータを送信することに切り替えるのに必要な時間を含む。即ち、第２装置が第３装置にアップリンクデータを送信する第２タイミングアドバンス、第２装置と第１装置の間の伝送遅延、及び第２切り替え時間に基づいて、第１タイミングアドバンスを決定してもよい。
【００５３】
第１装置は第２装置から第１タイミングアドバンスを取得してもよい。具体的に、第１装置は第２装置のブロードキャスト情報、無線リソース制御（ＲＲＣ、Ｒａｄｉｏ  Ｒｅｓｏｕｒｃｅ  Ｃｏｎｔｒｏｌ）情報、又は制御情報を受信してもよく、前記ブロードキャスト情報、ＲＲＣ情報又は制御情報は第１タイミングアドバンスを含む。
【００５４】
上記説明のまとめとして、図５は本発明に記載の１つの中継システムの模式図である。図５に示すように、親ノードとＲＮの間の伝送遅延はＴｐ１であり、ＲＮと子ノードの間の伝送遅延はＴｐ２であり、第２タイミングアドバンスはＲＮが親ノードにアップリンクデータを送信することに用いられ、２倍のＴｐ１であってもよく、第１タイミングアドバンスは子ノードがＲＮにアップリンクデータを送信することに用いられ、２倍のＴｐ１と２倍のＴｐ２の合計であってもよい。
【００５５】
図６は本発明に記載の他の１つの中継システムの模式図である。図６に示すように、親ノードとＲＮの間の伝送遅延はＴｐ１であり、ＲＮと子ノードの間の伝送遅延はＴｐ２であり、切り替え時間はＴｓｗであり、第２タイミングアドバンスはＲＮが親ノードにアップリンクデータを送信することに用いられ、２倍のＴｐ１であってもよく、更に、もし切り替え時間を考慮するなら、第２タイミングアドバンスは２倍のＴｐ１に対してＴｓｗを加算した結果であってもよく、第１タイミングアドバンスは子ノードがＲＮにアップリンクデータを送信することに用いられ、第２タイミングアドバンスに対して２倍のＴｐ２とＴｓｗを加算した結果であってもよい。
【００５６】
尚、前述の各方法実施例について、説明を簡単にするために、いずれも一連の動作の組み合わせで表しているが、当業者が分かるように、本発明は記載された動作の順序には制限されず、本発明によると、ある幾つかのステップは他の順序を採用し又は同時に行ってもよい。また、当業者が分かるように、明細書に記載の実施例はいずれも好ましい実施例であり、記載される動作とモジュールは必ずしも本発明に必要なものではない。
【００５７】
上記の実施例では、各実施例の記述はそれぞれ重点があり、ある実施例で詳しく記述されていない部分について、他の実施例での関係記述を参照することができる。
【００５８】
以上は方法実施例に関する説明であり、以下は装置実施例を通して、本発明に記載の案を更に説明する。
【００５９】
図７は、本発明に記載の、中継システムの同期装置の、第１実施例の構成構造の模式図である。図７に示すように、タイムスロット境界決定ユニット７０１、及びダウンリンクデータ送信ユニット７０２、又は、タイミングアドバンス設定ユニット７０３、又は、タイムスロット境界決定ユニット７０１、ダウンリンクデータ送信ユニット７０２、及びタイミングアドバンス設定ユニット７０３を備え、好ましくは、３つのユニットを全部備える。
【００６０】
タイムスロット境界決定ユニット７０１は第１タイムスロット境界を決定することに用いられる。
【００６１】
ダウンリンクデータ送信ユニット７０２は、子ノードに送信されたダウンリンクデータの第２タイムスロット境界を第１タイムスロット境界に時間的に合わせるように、子ノードにダウンリンクデータを送信することに用いられる。
【００６２】
タイムスロット境界決定ユニット７０１は親ノードから送信されたダウンリンクデータを受信した時刻に基づいて第１タイムスロット境界を決定してもよい。具体的に、タイムスロット境界決定ユニット７０１は親ノードからの同期信号を受信して同期信号の受信時刻を決定し、同期信号の受信時刻、及び所定のオフセットに基づいて、第１タイムスロット境界を決定してもよく、オフセットは同期信号の位置とタイムスロット境界との時間オフセットである。
【００６３】
タイムスロット境界決定ユニット７０１は更に親ノードから送信されたダウンリンクデータを受信した時刻、及び第１切り替え時間に基づいて第１タイムスロット境界を決定してもよく、第１切り替え時間は、中継システムの同期装置が親ノードから送信されたダウンリンクデータを受信することから子ノードにダウンリンクデータを送信することに切り替えるのに必要な時間を含む。
【００６４】
好ましくは、タイムスロット境界決定ユニット７０１は、第１タイムスロット境界を、中継システムの同期装置が親ノードから送信されたダウンリンクデータを受信した時刻に対して第１切り替え時間を加算した結果として決定してもよい。
【００６５】
タイミングアドバンス設定ユニット７０３は、少なくとも、中継システムの同期装置が親ノードにアップリンクデータを送信する第２タイミングアドバンスの情報、及び中継システムの同期装置と子ノードの間の伝送遅延の情報に基づいて、第１タイミングアドバンスを決定し、そして第１タイミングアドバンスを子ノードに送信することに用いられ、第１タイミングアドバンスは子ノードが中継システムの同期装置にアップリンクデータを送信する時間を決定することに用いられる。
【００６６】
前記情報は更に第２切り替え時間を含んでもよく、第２切り替え時間は、中継システムの同期装置が子ノードから送信されたアップリンクデータを受信することから親ノードにアップリンクデータを送信することに切り替えるのに必要な時間を含む。
【００６７】
実際の応用では、図７に示す中継システムの同期装置は前述のＲＮであってもよい。
【００６８】
図８は、本発明に記載の、中継システムの同期装置の、第２実施例の構成構造の模式図である。図８に示すように、タイミングアドバンス取得ユニット８０１、及びアップリンクデータ送信ユニット８０２を備える。
【００６９】
タイミングアドバンス取得ユニット８０１は、第１タイミングアドバンスを取得することに用いられ、第１タイミングアドバンスは少なくとも、第２装置が第３装置にアップリンクデータを送信する第２タイミングアドバンスの情報、及び第２装置と中継システムの同期装置の間の伝送遅延の情報に基づいて決定され、第２装置は中継システムの同期装置の親ノードであり、第３装置は第２装置の親ノードである。
【００７０】
アップリンクデータ送信ユニット８０２は、第１タイミングアドバンスに基づいて、第２装置にアップリンクデータを送信する時間を決定することに用いられる。
【００７１】
上記の情報は更に第２切り替え時間を含んでもよく、第２切り替え時間は、第２装置が中継システムの同期装置から送信されたアップリンクデータを受信することから第３装置にアップリンクデータを送信することに切り替えるのに必要な時間を含む。
【００７２】
また、タイミングアドバンス取得ユニット８０１は第２装置から第１タイミングアドバンスを取得してもよい。具体的に、第２装置のブロードキャスト情報、ＲＲＣ情報又は制御情報を受信してもよく、ブロードキャスト情報、ＲＲＣ情報又は制御情報は第１タイミングアドバンスを含む。
【００７３】
実際の応用では、図８に示す中継システムの同期装置は前述の子ノードであってもよい。
【００７４】
上記の各装置実施例の具体的な動作フローについては、前述の方法実施例での関係説明を参照でき、ここでは繰り返し説明しない。
【００７５】
図９は本発明の実施形態を実現することに適用される、例示的なコンピュータシステム／サーバ１２のブロック図を示す。図９に示すコンピュータシステム／サーバ１２は単に例示的なものであり、本発明実施例の機能と使用範囲に如何なる制限ももたらさない。
【００７６】
図９に示すように、コンピュータシステム／サーバ１２は汎用計算装置の形で現れる。コンピュータシステム／サーバ１２の構成要素は、１つ又は複数のプロセッサ（処理ユニット）１６、メモリ２８、異なるシステムコンポーネント（メモリ２８とプロセッサ１６を含む）を繋げるバス１８を含んでもよいが、これらには限らない。
【００７７】
バス１８は、メモリバス又はメモリコントローラ、周辺バス、グラフィックアクセラレータポート、プロセッサ、又は複数のバス構造のうちの任意のバス構造を使用するローカルバスを含む、幾つかの種類のバス構造のうちの１つ又は複数を表す。例えば、これらのアーキテクチャには、産業標準アーキテクチャ（ＩＳＡ）バス、マイクロチャネルアーキテクチャ（ＭＡＣ）バス、拡張ＩＳＡバス、ビデオ電子規格協会（ＶＥＳＡ）ローカルバス、周辺コンポーネント相互接続（ＰＣＩ）バスが含まれるが、これらには限られない。
【００７８】
コンピュータシステム／サーバ１２は、典型的に、複数種類のコンピュータシステム可読媒体を含む。これらの媒体は、揮発性及び不揮発性の媒体、リムーバブル及び非リムーバブルの媒体を含む、コンピュータシステム／サーバ１２がアクセスできる任意の利用可能な媒体であってもよい。
【００７９】
メモリ２８は揮発性メモリ形式のコンピュータシステム可読媒体、例えば、ランダムアクセスメモリ（ＲＡＭ）３０及び／又はキャッシュメモリ３２を含んでもよい。コンピュータシステム／サーバ１２は更に他のリムーバブル／非リムーバブルの、揮発性／不揮発性コンピュータシステム記憶媒体を含んでもよい。単なる例として、ストレージシステム３４は、非リムーバブルの、不揮発性磁気媒体（図９には示されていないが、通常「ハードディスクドライブ」と称される）を読み書きすることに用いられてもよい。図９には示されていないが、リムーバブル不揮発性磁気ディスク（例えば「フロッピーディスク」）に読み書きするための磁気ディスクドライブ、及びリムーバブル不揮発性光ディスク（例えばＣＤ−ＲＯＭ、ＤＶＤ−ＲＯＭ又は他の光媒体）に読み書きするための光ディスクドライブが提供されてもよい。これらの場合、各ドライブは、１つ又は複数のデータ媒体インターフェースを介してバス１８に接続されてもよい。メモリ２８は、本発明各実施例の機能を実行するために設定された１セット（例えば、少なくとも１つ）のプログラムモジュールを有する少なくとも１つのプログラム製品を含んでもよい。
【００８０】
１セット（例えば、少なくとも１つ）のプログラムモジュール４２を有するプログラム／ユーティリティ４０は、例えば、メモリ２８に記憶されてもよく、このようなプログラムモジュール４２は、オペレーティングシステム、１つ又は複数のアプリケーションプログラム、その他のプログラムモジュール、及びプログラムデータを含むが、これらに限らず、これらの例のうちのそれぞれ、又はその何らかの組み合わせにはネットワーク環境の実現が含まれる可能性がある。プログラムモジュール４２は通常、本発明に記載の実施例における機能及び／又は方法を実行する。
【００８１】
コンピュータシステム／サーバ１２はまた、１つ又は複数の外部装置１４（例えばキーボード、ポインティングデバイス、ディスプレイ２４等）と通信してもよく、更にユーザが該コンピュータシステム／サーバ１２と対話できるようにする１つ又は複数の装置と通信し、及び／又は該コンピュータシステム／サーバ１２が１つ又は複数の他の計算装置と通信できるようにする如何なる装置（例えばネットワークカード、モデム等）と通信してもよい。このような通信は入力／出力（Ｉ／Ｏ）インターフェース２２を介して行われてもよい。そして、コンピュータシステム／サーバ１２は更にネットワークアダプタ２０を介して１つ又は複数のネットワーク（例えば、ローカルエリアネットワーク（ＬＡＮ）、ワイドエリアネットワーク（ＷＡＮ）及び／又はパブリックネットワーク、例えば、インターネット）と通信してもよい。図９に示すように、ネットワークアダプタ２０はバス１８を介してコンピュータシステム／サーバ１２の他のモジュールと通信する。理解されるように、図には示されていないが、コンピュータシステム／サーバ１２と組み合わせて他のハードウェア及び／又はソフトウェアモジュールが使用されてもよく、該ハードウェア及び／又はソフトウェアモジュールは、マイクロコード、デバイスドライバ、冗長処理ユニット、外部ディスクドライブアレイ、ＲＡＩＤシステム、テープドライブ、及びデータバックアップストレージシステム等を含むが、これらには限らない。
【００８２】
プロセッサ１６はメモリ２８に記憶されるプログラムを実行することによって、様々な機能アプリケーション及びデータ処理を実行し、例えば、図３又は図４に示す実施例における方法を実現する。
【００８３】
本発明は同時にコンピュータ可読記憶媒体を開示し、該コンピュータ可読記憶媒体にはコンピュータプログラムが記憶され、該プログラムがプロセッサによって実行される時、図３又は図４に示す実施例における方法が実現される。
【００８４】
１つ又は複数のコンピュータ可読媒体の任意の組み合わせが採用されてもよい。コンピュータ可読媒体はコンピュータ可読信号媒体又はコンピュータ可読記憶媒体であってもよい。コンピュータ可読記憶媒体は、例えば、電子、磁気、光、電磁気、赤外線、又は半導体のシステム、装置又はデバイス、又は上記の任意の組み合わせであってもよいが、これらには限らない。コンピュータ可読記憶媒体のより具体的な例（非網羅的リスト）は、１つまたは複数のリード線を有する電気的接続、ポータブルコンピュータ磁気ディスク、ハードディスク、ランダムアクセスメモリ（ＲＡＭ）、読み取り専用メモリ（ＲＯＭ）、消去可能プログラマブル読み取り専用メモリ（ＥＰＲＯＭ又はフラッシュメモリ）、光ファイバ、ポータブルコンパクト磁気ディスク読み取り専用メモリ（ＣＤ−ＲＯＭ）、光記憶装置、磁気記憶装置、又は上記の任意の適切な組合せを含む。本明細書においてコンピュータ可読記憶媒体はプログラムを含む又は記憶する如何なる有形媒体であってもよく、該プログラムは命令実行システム、装置又はデバイスによって使用されること、又はそれらと組み合わせて使用することができる。
【００８５】
コンピュータ可読信号媒体は、ベースバンドにおいて伝播される、又はキャリアの一部として伝播されるデータ信号を含んでもよく、そこにおいてコンピュータ可読プログラムコードが運ばれる。その伝播されるデータ信号は、電磁信号、光信号、又は上記の任意の適切な組合せを含むがこれらには限らない複数の形式を採用してもよい。コンピュータ可読信号媒体は更にコンピュータ可読記憶媒体以外の如何なるコンピュータ可読媒体であってもよく、該コンピュータ可読媒体は、命令実行システム、装置、又はデバイスによって使用される又はそれと組み合わせて使用するためのプログラムを送信、伝播又は伝送できる。
【００８６】
コンピュータ可読媒体に含まれるプログラムコードは、無線、電線、光ケーブル、ＲＦ等、又は上記の任意の適切な組み合わせを含むがこれらに限らない、任意の適切な媒体で伝送されてもよい。
【００８７】
１つ又は複数のプログラム設計言語又はその組み合わせで、本発明の動作を実行するためのコンピュータプログラムコードを記述してもよく、前記プログラム設計言語は、オブジェクト指向のプログラム設計言語、例えば、Ｊａｖａ、Ｓｍａｌｌｔａｌｋ、Ｃ＋＋等を含み、更に従来のプロセスプログラム設計言語、例えば、「Ｃ」言語又はそれに類似するプログラム設計言語等を含む。プログラムコードは完全にユーザコンピュータにおいて実行されても、部分的にユーザコンピュータにおいて実行されても、独立したソフトウェアパッケージとして実行されても、一部はユーザコンピュータにおいて一部はリモートコンピュータにおいて実行されても、又は完全にリモートコンピュータ又はサーバにおいて実行されてもよい。リモートコンピュータが関係する場合、リモートコンピュータは、ローカルエリアネットワーク（ＬＡＮ）又はワイドエリアネットワーク（ＷＡＮ）を含む任意種類のネットワークを介してユーザコンピュータに接続されてもよく、又は、外部コンピュータに接続（例えばインターネットサービスプロバイダを利用してインターネットを介して接続）されてもよい。
【００８８】
本発明で提供する幾つかの実施例において、理解されるように、開示される装置及び方法等は、他の方式で実現されてもよい。例えば、上記に記載の装置実施例は単に模式的なものであり、例えば、前記ユニットの区分は単に論理的な機能区分に過ぎず、実際の実施では他の区分方式があってもよい。
【００８９】
分離部材として説明された前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【００９０】
また、本発明の各実施例における各機能ユニットは１つの処理ユニットに集積されてもよく、各ユニットは独立して物理的に存在してもよく、２つ以上のユニットが１つのユニットに集積されてもよい。上記の集積ユニットはハードウェアの形で実現されてもよく、ハードウェア＋ソフトウェア機能ユニットの形で実現されてもよい。
【００９１】
上記の、ソフトウェア機能ユニットの形で実現される集積ユニットは、コンピュータ可読記憶媒体に記憶されてもよい。上記ソフトウェア機能ユニットは、記憶媒体に記憶され、１台のコンピュータ装置（パーソナルコンピュータ、サーバ、又はネットワーク装置等であってもよい）又はプロセッサ（ｐｒｏｃｅｓｓｏｒ）に、本発明の各実施例に記載の方法の一部ステップを実行させるための若干の命令を含む。前述の記憶媒体は、ＵＳＢディスク、リムーバブルハードディスク、読み出し専用メモリ（ＲＯＭ）、ランダムアクセスメモリ（ＲＡＭ）、磁気ディスク又は光ディスク等、プログラムコードを記憶できる各種の媒体を含む。
【００９２】
以上は本発明の比較的に好ましい実施例に過ぎず、本発明を制限するためのものではない。本発明の精神及び原則内において行われた全ての修正、同等な代替、改善等は、いずれも本発明の保護する範囲に含まれるべきである。
【図１】
2021521727.tif 000003
【図２】
2021521727.tif 000004
【図３】
2021521727.tif 000005
【図４】
2021521727.tif 000006
【図５】
2021521727.tif 000007
【図６】
2021521727.tif 000008
【図７】
2021521727.tif 000009
【図８】
2021521727.tif 000010
【図９】
2021521727.tif 000011
【手続補正書】
【提出日】令和2年11月4日(2020.11.4)
【手続補正１】
【補正対象書類名】明細書
【補正対象項目名】００２８
【補正方法】変更
【補正の内容】
【００２８】
本実施例では、ＲＮは少なくとも以下の２つの方式のうちの一つで第１タイムスロット境界を決定することができ、以下はそれぞれ説明する。
【手続補正２】
【補正対象書類名】特許請求の範囲
【補正対象項目名】全文
【補正方法】変更
【補正の内容】
【特許請求の範囲】
【請求項１】
中継システムの同期方法であって、
中継ノードが第１タイムスロット境界を決定することと、
前記中継ノードが、子ノードに送信されたダウンリンクデータの第２タイムスロット境界を前記第１タイムスロット境界に時間的に合わせるように、前記子ノードにダウンリンクデータを送信することと、を含むことを特徴とする中継システムの同期方法。
【請求項２】
前記中継ノードが第１タイムスロット境界を決定することは、
前記中継ノードが、親ノードから送信された信号を受信した時刻及び所定のオフセットに基づいて、前記第１タイムスロット境界を決定することを含むことを特徴とする請求項１に記載の方法。
【請求項３】
前記所定のオフセットは、前記信号の位置と前記第１タイムスロット境界との時間オフセットであることを特徴とする請求項１に記載の方法。
【請求項４】
更に、
前記中継ノードが少なくとも、前記中継ノードが前記親ノードにアップリンクデータを送信する第２タイミングアドバンスの情報、及び前記中継ノードと前記子ノードの間の伝送遅延の情報に基づいて、第１タイミングアドバンスを決定することと、
前記中継ノードが前記第１タイミングアドバンスを前記子ノードに送信し、前記第１タイミングアドバンスは前記子ノードが前記中継ノードにアップリンクデータを送信する時間を決定することに用いられることと、を含むことを特徴とする請求項１に記載の方法。
【請求項５】
前記中継ノードが第１タイムスロット境界を決定することは、
前記中継ノードが前記親ノードから送信されたダウンリンクデータを受信した時刻、及び第１切り替え時間に基づいて前記第１タイムスロット境界を決定し、前記第１切り替え時間は、前記中継ノードが前記親ノードから送信されたダウンリンクデータを受信することから前記子ノードにダウンリンクデータを送信することに切り替えるのに必要な時間を含むことを含むことを特徴とする請求項１に記載の方法。
【請求項６】
前記中継ノードが前記親ノードから送信されたダウンリンクデータを受信した時刻及び第１切り替え時間に基づいて前記第１タイムスロット境界を決定することは、
前記中継ノードが、前記第１タイムスロット境界を、前記中継ノードが前記親ノードから送信されたダウンリンクデータを受信した時刻に対して前記第１切り替え時間を加算した結果として決定することを含むことを特徴とする請求項５に記載の方法。
【請求項７】
中継システムの同期装置であって、タイムスロット境界決定ユニット、及びダウンリンクデータ送信ユニットを備え、
前記タイムスロット境界決定ユニットは第１タイムスロット境界を決定することに用いられ、
前記ダウンリンクデータ送信ユニットは、子ノードに送信されたダウンリンクデータの第２タイムスロット境界を前記第１タイムスロット境界に時間的に合わせるように、前記子ノードにダウンリンクデータを送信することに用いられることを特徴とする中継システムの同期装置。
【請求項８】
前記タイムスロット境界決定ユニットは、親ノードから送信された信号を受信した時刻及び所定のオフセットに基づいて、前記第１タイムスロット境界を決定することに用いられることを特徴とする請求項７に記載の中継システムの同期装置。
【請求項９】
前記所定のオフセットは、前記信号の位置と前記第１タイムスロット境界との時間オフセットであることを特徴とする請求項８に記載の中継システムの同期装置。
【請求項１０】
更にタイミングアドバンス設定ユニットを備え、
前記タイミングアドバンス設定ユニットは、少なくとも、前記中継システムの同期装置が前記親ノードにアップリンクデータを送信する第２タイミングアドバンスの情報、及び前記中継システムの同期装置と前記子ノードの間の伝送遅延の情報に基づいて第１タイミングアドバンスを決定し、そして前記第１タイミングアドバンスを前記子ノードに送信することに用いられ、前記第１タイミングアドバンスは前記子ノードが前記中継システムの同期装置にアップリンクデータを送信する時間を決定することに用いられることを特徴とする請求項７に記載の中継システムの同期装置。
【請求項１１】
前記タイムスロット境界決定ユニットは、前記親ノードから送信されたダウンリンクデータを受信した時刻、及び第１切り替え時間に基づいて前記第１タイムスロット境界を決定することに用いられ、前記第１切り替え時間は、前記中継システムの同期装置が前記親ノードから送信されたダウンリンクデータを受信することから前記子ノードにダウンリンクデータを送信することに切り替えるのに必要な時間を含むことを特徴とする請求項７に記載の中継システムの同期装置。
【請求項１２】
前記タイムスロット境界決定ユニットは、前記第１タイムスロット境界を、前記中継システムの同期装置が前記親ノードから送信されたダウンリンクデータを受信した時刻に対して前記第１切り替え時間を加算した結果として決定することに用いられることを特徴とする請求項１１に記載の中継システムの同期装置。
【請求項１３】
コンピュータプログラムが記憶されるコンピュータ可読記憶媒体であって、前記プログラムがプロセッサによって実行される時、請求項１〜６のいずれか１項に記載の方法が実現されることを特徴とするコンピュータ可読記憶媒体。
【国際調査報告】
2021521727.tif 000012
2021521727.tif 000013
2021521727.tif 000014
2021521727.tif 000015